Podtech/llm-jp-corpus-v4-ja_patent huggingface dataset:
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
表示装置に表示するための動的なピクチャーインピクチャーを生成する方法であって、
ビデオコンテンツをサーバから受信することと、
オブジェクト認識またはメタデータに基づいて前記ビデオコンテンツの第１のフレーム内のオブジェクトの第１の位置を判定することと、
前記オブジェクトの前記第１の位置に基づいて第１のウィンドウの位置を判定することであって、前記第１のウィンドウは、前記第１のフレームの視覚的に拡大された部分を備え、前記第１のフレームの視覚的に拡大された部分は、視覚的に拡大されたバージョンの前記オブジェクトを備える、ことと、
前記表示装置に表示するための前記第１のフレーム内の前記第１のウィンドウを生成することと、
オブジェクト認識またはメタデータに基づいて前記ビデオコンテンツの第２のフレーム内の前記オブジェクトの第２の位置を判定することであって、前記第２のフレームは、前記第１のフレームに時間的に続いており、前記オブジェクトの前記第２の位置は、前記オブジェクトの前記第１の位置とは異なる、ことと、
前記オブジェクトの前記第２の位置に基づいて第２のウィンドウの位置を判定することであって、前記第２のウィンドウは、前記第２のフレームの視覚的に拡大された部分を備え、前記第２のフレームの視覚的に拡大された部分は、視覚的に拡大されたバージョンの前記オブジェクトを備える、ことと、
前記表示装置に表示するための前記第２のフレーム内の前記第２のウィンドウを生成することと
を備える方法。
【請求項２】
前記第１のウィンドウまたは前記第２のウィンドウが、前記オブジェクトと重なっていることを判定することをさらに備える、請求項１の方法。
【請求項３】
オブジェクト認識またはメタデータに基づいて前記ビデオコンテンツの第３のフレーム内の前記オブジェクトの第３の位置を判定することと、
前記表示装置に表示するための第４のフレーム内の所定の位置の第３のウィンドウを生成することであって、前記第３のウィンドウは、前記第３のフレームの視覚的に拡大された部分を備え、前記第３のフレームの視覚的に拡大された部分は、視覚的に拡大されたバージョンの前記オブジェクトを備え、前記第４のフレームは、前記第３のフレームに時間的に続いている、ことと
をさらに備える、請求項１の方法。
【請求項４】
前記第１のウィンドウは、前記オブジェクトのユーザ選択に基づいて前記第１のフレームの視覚的に拡大された部分を備える、請求項１の方法。
【請求項５】
前記ビデオコンテンツのさらに前のフレーム内の複数のオブジェクトを識別することであって、前記複数のオブジェクトは前記オブジェクトを備える、ことと、
前記表示装置に表示するための前記さらに前のフレーム内の複数のウィンドウを生成することであって、前記複数のウィンドウのそれぞれは、前記複数のオブジェクトのそれぞれのオブジェクトを備え、前記複数のウィンドウのそれぞれは、前記それぞれのオブジェクトのインジケーションを提供する、ことと、
ユーザ入力に基づいて前記複数のウィンドウの焦点ウィンドウを繰り返し表示することと
をさらに備える、請求項１の方法。
【請求項６】
前記複数のオブジェクトのうちのオブジェクトに関連付けられるユーザ選択を受信することと、
前記ユーザ選択に基づいて前記第１のウィンドウ内の前記オブジェクトを拡大することと
をさらに備える、請求項５の方法。
【請求項７】
前記メタデータは、前記ビデオコンテンツのフレーム内のオブジェクトの位置を示す情報を備える、請求項１の方法。
【請求項８】
前記表示装置に表示するための前記第２のフレーム内の前記オブジェクトに関連する情報を生成することをさらに備える、請求項１の方法。
【請求項９】
ビデオコンテンツをサーバから受信し、
オブジェクト認識またはメタデータに基づいて前記ビデオコンテンツの第１のフレーム内のオブジェクトの第１の位置を判定し、
前記オブジェクトの前記第１の位置に基づいて第１のウィンドウの位置を判定し、前記第１のウィンドウは、前記第１のフレームの視覚的に拡大された部分を備え、前記第１のフレームの視覚的に拡大された部分は、視覚的に拡大されたバージョンの前記オブジェクトを備え、
表示装置に表示するための前記第１のフレーム内の前記第１のウィンドウを生成し、
オブジェクト認識またはメタデータに基づいて前記ビデオコンテンツの第２のフレーム内の前記オブジェクトの第２の位置を判定し、前記第２のフレームは、前記第１のフレームに時間的に続いており、前記オブジェクトの前記第２の位置は、前記オブジェクトの前記第１の位置とは異なり、
前記オブジェクトの前記第２の位置に基づいて第２のウィンドウの位置を判定し、前記第２のウィンドウは、前記第２のフレームの視覚的に拡大された部分を備え、前記第２のフレームの視覚的に拡大された部分は、視覚的に拡大されたバージョンの前記オブジェクトを備え、
前記表示装置に表示するための前記第２のフレーム内の前記第２のウィンドウを生成する
ように構成されたプロセッサを備えたデバイス。
【請求項１０】
前記プロセッサは、前記第１のウィンドウまたは前記第２のウィンドウが、前記オブジェクトと重なっていることを判定するように構成される、請求項９のデバイス。
【請求項１１】
前記プロセッサは、
オブジェクト認識またはメタデータに基づいて前記ビデオコンテンツの第３のフレーム内の前記オブジェクトの第３の位置を判定し、
前記表示装置に表示するための第４のフレーム内の所定の位置の第３のウィンドウを生成し、前記第３のウィンドウは、前記第３のフレームの視覚的に拡大された部分を備え、前記第３のフレームの視覚的に拡大された部分は、視覚的に拡大されたバージョンの前記オブジェクトを備え、前記第４のフレームは、前記第３のフレームに時間的に続いている
ように構成される、請求項９のデバイス。
【請求項１２】
前記第１のウィンドウは、前記オブジェクトのユーザ選択に基づいて前記第１のフレームの視覚的に拡大された部分を備える、請求項９のデバイス。
【請求項１３】
前記プロセッサは、
前記ビデオコンテンツのさらに前のフレーム内の複数のオブジェクトを識別し、前記複数のオブジェクトは前記オブジェクトを備え、
前記表示装置に表示するための前記さらに前のフレーム内の複数のウィンドウを生成し、前記複数のウィンドウのそれぞれは、前記複数のオブジェクトのそれぞれのオブジェクトを備え、前記複数のウィンドウのそれぞれは、前記それぞれのオブジェクトのインジケーションを提供し、
ユーザ入力に基づいて前記複数のウィンドウの焦点ウィンドウを繰り返し表示する
ように構成される、請求項９のデバイス。
【請求項１４】
前記プロセッサは、
前記複数のオブジェクトのうちのオブジェクトに関連づけられるユーザ選択を受信し、
前記ユーザ選択に基づいて前記第１のウィンドウ内の前記オブジェクトを拡大する
ように構成される、請求項１３のデバイス。
【請求項１５】
前記メタデータは、前記ビデオコンテンツのフレーム内のオブジェクトの位置を示す情報を備える、請求項９のデバイス。
【請求項１６】
前記プロセッサは、前記表示装置に表示するための前記第２のフレーム内の前記オブジェクトに関連する情報を生成するように構成される、請求項９のデバイス。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
配列番号３２、４１、４２、４５、４８、４９、１２２、１２３、１７３、１７４、２１３および２１４のうちのいずれか１つで表されるエプスタイン−バールウイルス（ＥＢＶ）陰性癌特異的ネオエピトープ。
【請求項２】
ＨＬＡ−Ａ、ＨＬＡ−Ｂ、ＨＬＡ−Ｃ、ＨＬＡ−Ｅ、ＨＬＡ−Ｆ、ＨＬＡ−Ｇ、β２−マイクログロブリン、ＨＬＡ−ＤＰＡ１、ＨＬＡ−ＤＰＢ１、ＨＬＡ−ＤＱＡ１、ＨＬＡ−ＤＱＢ１、ＨＬＡ−ＤＲＡ１、ＨＬＡ−ＤＲＢ１、ＨＬＡ−ＤＲＢ３、ＨＬＡ−ＤＲＢ４、ＨＬＡ−ＤＲＢ５、ＨＬＡ−ＤＭ、ＨＬＡ−ＤＯＡ、およびＨＬＡ−ＤＯＢ遺伝子座のうちの少なくとも１つと結合親和性を示すものである、請求項１に記載のエプスタイン−バールウイルス（ＥＢＶ）陰性癌特異的ネオエピトープ。
【請求項３】
ＨＬＡ−Ａ＊２４０２およびＨＬＡ−Ａ＊Ａ０２０１のうちの少なくとも１つと結合親和性を示すものである、請求項１に記載のエプスタイン−バールウイルス（ＥＢＶ）陰性癌特異的ネオエピトープ。
【請求項４】
前記癌は、配列番号３２、４１、４２、４５、４８、４９、１２２、１２３、１７３、１７４、２１３および２１４のうちのいずれか１つで表される癌特異的ネオエピトープを発現するものである、請求項１に記載のエプスタイン−バールウイルス（ＥＢＶ）陰性癌特異的ネオエピトープ。
【請求項５】
前記癌は、大腸癌、膵臓癌、胃癌、肝臓癌、乳癌、子宮頸癌、甲状腺癌、副甲状腺癌、
肺癌、非小細胞性肺癌、前立腺癌、胆嚢癌、胆道癌、非ホジキンリンパ腫、ホジキンリンパ腫、血液癌、膀胱癌、腎臓癌、卵巣癌、黒色腫、結腸癌、骨癌、皮膚癌、頭部癌、子宮癌、直腸癌、脳腫瘍、肛門付近癌、卵管癌、子宮内膜癌腫、膣癌、陰門癌腫、食道癌、小腸癌、内分泌腺癌、副腎癌、軟組織肉腫、尿道癌、陰茎癌、輸尿管癌、腎臓細胞癌腫、腎盂癌、中枢神経系（ＣＮＳ）腫瘍、１次ＣＮＳリンパ腫、脊髓腫瘍、脳幹神経膠腫、または脳下垂体腺腫である、請求項４に記載のエプスタイン−バールウイルス（ＥＢＶ）陰性癌特異的ネオエピトープ。
【請求項６】
請求項１〜５のいずれか１項に記載のエプスタイン−バールウイルス（ＥＢＶ）陰性癌特異的ネオエピトープをコーディングする、核酸分子。
【請求項７】
請求項６に記載の核酸分子が挿入された、発現ベクター。
【請求項８】
請求項７に記載の発現ベクターが形質感染した、宿主細胞。
【請求項９】
配列番号３２、４１、４２、４５、４８、４９、１２２、１２３、１７３、１７４、２１３および２１４のうちのいずれか１つで表されるエプスタイン−バールウイルス（ＥＢＶ）陰性癌特異的ネオエピトープを含む、癌の予防または治療用Ｔ細胞の活性化用組成物。
【請求項１０】
前記Ｔ細胞は、細胞傷害性Ｔ細胞、ヘルパーＴ細胞、ナチュラルキラーＴ細胞、γδＴ細胞、制御性Ｔ細胞、およびメモリーＴ細胞からなる群より選択された１種以上を含む、請求項９に記載のＴ細胞の活性化用組成物。
【請求項１１】
配列番号３２、４１、４２、４５、４８、４９、１２２、１２３、１７３、１７４、２１３および２１４のうちのいずれか１つで表されるエプスタイン−バールウイルス（ＥＢＶ）陰性癌特異的ネオエピトープがローディングされた抗原提示細胞。
【請求項１２】
樹状細胞、Ｂ細胞、およびマクロファージのうちの１種以上を含む、請求項１１に記載の抗原提示細胞。
【請求項１３】
Ｔ細胞の増殖または分化を促進する、請求項１１に記載の抗原提示細胞。
【請求項１４】
配列番号３２、４１、４２、４５、４８、４９、１２２、１２３、１７３、１７４、２１３および２１４のうちのいずれか１つで表されるエプスタイン−バールウイルス（ＥＢＶ）陰性癌特異的ネオエピトープがローディングされた抗原提示細胞を製造する方法。
【請求項１５】
前記抗原提示細胞は、樹状細胞、Ｂ細胞、およびマクロファージのうちの１種以上を含む、請求項１４に記載の方法。
【請求項１６】
前記抗原提示細胞は、目的の個体の末梢血液由来の末梢血単核細胞（ＰＢＭＣ）から得られたものである、請求項１４に記載の方法。
【請求項１７】
前記ローディングは、前記抗原提示細胞を前記エプスタイン−バールウイルス（ＥＢＶ）陰性癌特異的ネオエピトープと接触させて行われる、請求項１４に記載の方法。
【請求項１８】
前記ローディングは、前記抗原提示細胞を前記エプスタイン−バールウイルス（ＥＢＶ）陰性癌特異的ネオエピトープでパルシング（ｐｕｌｓｉｎｇ）して行われる、請求項１４に記載の方法。
【請求項１９】
前記ローディングは、前記エプスタイン−バールウイルス（ＥＢＶ）陰性癌特異的ネオエピトープをコーディングする核酸分子が挿入された発現ベクターを前記抗原提示細胞にヌクレオフェクション（ｎｕｃｌｅｏｆｅｃｔｉｏｎ）させて行われる、請求項１４に記載の方法。
【請求項２０】
前記ローディングは、
前記エプスタイン−バールウイルス（ＥＢＶ）陰性癌特異的ネオエピトープ、および樹状細胞特異的抗体またはその断片を含む、融合タンパク質
を用いて行われる、請求項１４に記載の方法。
【請求項２１】
請求項１１〜１３のいずれか１項に記載の抗原提示細胞によって活性化された、Ｔ細胞。
【請求項２２】
請求項１１〜１３のいずれか１項に記載の抗原提示細胞によってＴ細胞を活性化する方法。
【請求項２３】
前記Ｔ細胞を前記抗原提示細胞と共培養して行われる、請求項２２に記載の方法。
【請求項２４】
前記Ｔ細胞は、目的の個体の末梢血単核細胞（ＰＢＭＣ）から得られたものである、請求項２２に記載の方法。
【請求項２５】
前記Ｔ細胞は、細胞傷害性Ｔ細胞、ヘルパーＴ細胞、ナチュラルキラーＴ細胞、γδＴ細胞、制御性Ｔ細胞、およびメモリーＴ細胞からなる群より選択された１種以上を含む、請求項２２に記載の方法。
【請求項２６】
前記共培養が、インターロイキン−２（ＩＬ−２）、インターロイキン−４（ＩＬ−４）、インターロイキン−７（ＩＬ−７）、インターロイキン−１５（ＩＬ−１５）、インターロイキン−２１（ＩＬ−２１）、またはこれらの組み合わせを添加して行われる、請求項２３に記載の方法。
【請求項２７】
前記共培養が、サイトカインおよび兔疫グロブリン重鎖不変部を含む融合タンパク質を添加して行われる、請求項２３に記載の方法。
【請求項２８】
前記サイトカインは、インターフェロン−γ（ＩＦＮ−γ）、インターロイキン−２（ＩＬ−２）、インターロイキン−４（ＩＬ−４）、インターロイキン−１２（ＩＬ−１２）、ＩＬ−１８、腫瘍壊死因子（ＴＮＦ）、または顆粒球マクロファージコロニー刺激因子（ＧＭＣＳＦ）である、請求項２７に記載の方法。
【請求項２９】
前記共培養が、
ＣＤ２７、ＣＸＣＲ３、またはＣＤ６２Ｌのリガンド、および兔疫グロブリン重鎖不変部を含む、融合タンパク質
を添加して行われる、請求項２３に記載の方法。
【請求項３０】
請求項１１〜１３のいずれか１項に記載の抗原提示細胞を有効成分として含む、エプスタイン−バールウイルス（ＥＢＶ）陰性癌の予防または治療用薬学組成物。
【請求項３１】
請求項２１に記載の活性化されたＴ細胞を有効成分として含む、エプスタイン−バールウイルス（ＥＢＶ）陰性癌の予防または治療用薬学組成物。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
配列番号５５、８６、１２３、１３６、１５２、１５７および１８４のうちのいずれか１つで表される、エプスタイン−バールウイルス（ＥＢＶ）陽性癌特異的ネオエピトープ（ｎｅｏ−ｅｐｉｔｏｐｅ）。
【請求項２】
ＨＬＡ−Ａ、ＨＬＡ−Ｂ、ＨＬＡ−Ｃ、ＨＬＡ−Ｅ、ＨＬＡ−Ｆ、ＨＬＡ−Ｇ、β２−ミクログロブリン、ＨＬＡ−ＤＰＡ１、ＨＬＡ−ＤＰＢ１、ＨＬＡ−ＤＱＡ１、ＨＬＡ−ＤＱＢ１、ＨＬＡ−ＤＲＡ１、ＨＬＡ−ＤＲＢ１、ＨＬＡ−ＤＲＢ３、ＨＬＡ−ＤＲＢ４、ＨＬＡ−ＤＲＢ５、ＨＬＡ−ＤＭ、ＨＬＡ−ＤＯＡ、及びＨＬＡ−ＤＯＢ遺伝子座のうちの少なくとも１つと結合親和性を示すものである、請求項１に記載のエプスタイン−バールウイルス（ＥＢＶ）陽性癌特異的ネオエピトープ。
【請求項３】
ＨＬＡ−Ａ＊２４０２、ＨＬＡ−Ａ＊Ａ０２０１、ＨＬＡ−Ａ＊３３０３、ＨＬＡ−Ａ＊１１０１、ＨＬＡ−Ａ＊０２０６、ＨＬＡ−Ａ＊３１０１、ＨＬＡ−Ｂ＊５１０１、ＨＬＡ−Ｂ＊４４０３、ＨＬＡ−Ｂ＊５４０１、ＨＬＡ−Ｂ＊５８０１、及びＨＬＡ−Ｂ＊３５０１のうちの少なくとも１つと結合親和性を示すものである、請求項１に記載のエプスタイン−バールウイルス（ＥＢＶ）陽性癌特異的ネオエピトープ。
【請求項４】
前記エプスタイン−バールウイルス（ＥＢＶ）陽性癌は、ＥＢＶ陽性胃癌、ＥＢＶ陽性子宮頸癌、ＥＢＶ陽性バーキットリンパ腫、ＥＢＶ陽性Ｔ細胞リンパ腫、ＥＢＶ陽性乳癌、ＥＢＶ陽性平滑筋肉腫（ｌｅｉｏｍｙｏｓａｒｃｏｍａｓ）、ＥＢＶ陽性平滑筋腫、ＥＢＶ陽性ホジキンリンパ腫、ＥＢＶ陽性非咽頭癌、又はＥＢＶ陽性移植後リンパ細胞増殖疾患（ＰＴＬＤ）である、請求項１に記載のエプスタイン−バールウイルス（ＥＢＶ）陽性癌特異的ネオエピトープ。
【請求項５】
請求項１〜４のいずれか一項に記載のエプスタイン−バールウイルス（ＥＢＶ）陽性癌特異的ネオエピトープをコードする、核酸分子。
【請求項６】
請求項５に記載の核酸分子が挿入された、発現ベクター。
【請求項７】
請求項６に記載の発現ベクターがトランスフェクトされた、宿主細胞。
【請求項８】
配列番号５５、８６、１２３、１３６、１５２、１５７および１８４のうちのいずれか１つで表されるエプスタイン−バールウイルス（ＥＢＶ）陽性癌特異的ネオエピトープを含む、癌の予防または治療用Ｔ細胞の活性化用組成物。
【請求項９】
前記Ｔ細胞は、細胞傷害性Ｔ細胞、ヘルパーＴ細胞、ナチュラルキラーＴ細胞、γδＴ細胞、制御性Ｔ細胞、及びメモリーＴ細胞からなる群より選択される１種以上を含む、請求項８に記載のＴ細胞の活性化用組成物。
【請求項１０】
配列番号５５、８６、１２３、１３６、１５２、１５７および１８４のうちのいずれか１つで表されるエプスタイン−バールウイルス（ＥＢＶ）陽性癌特異的ネオエピトープが負荷（ｌｏａｄｉｎｇ）された、抗原提示細胞。
【請求項１１】
樹状細胞、Ｂ細胞、及びマクロファージのうちの１種以上を含む、請求項１０に記載の抗原提示細胞。
【請求項１２】
Ｔ細胞の増殖又は分化を促進する、請求項１１に記載の抗原提示細胞。
【請求項１３】
配列番号５５、８６、１２３、１３６、１５２、１５７および１８４のうちのいずれか１つで表される、エプスタイン−バールウイルス（ＥＢＶ）陽性癌特異的ネオエピトープが負荷された抗原提示細胞を製造する方法。
【請求項１４】
前記抗原提示細胞は、樹状細胞、Ｂ細胞、及びマクロファージのうちの１種以上を含む、請求項１３に記載の方法。
【請求項１５】
前記抗原提示細胞は、目的の個体の末梢血液由来の末梢血単核細胞（ＰＢＭＣ）から得られたものである、請求項１３に記載の方法。
【請求項１６】
前記負荷は、前記抗原提示細胞を前記エプスタイン−バールウイルス（ＥＢＶ）陽性癌特異的ネオエピトープと接触させて行われる、請求項１３に記載の方法。
【請求項１７】
前記負荷は、前記抗原提示細胞を前記エプスタイン−バールウイルス（ＥＢＶ）陽性癌特異的ネオエピトープにパルシング（ｐｕｌｓｉｎｇ）して行われる、請求項１３に記載の方法。
【請求項１８】
前記負荷は、前記エプスタイン−バールウイルス（ＥＢＶ）陽性癌特異的ネオエピトープをコードする核酸分子が挿入された発現ベクターを前記抗原提示細胞にヌクレオフェクション（ｎｕｃｌｅｏｆｅｃｔｉｏｎ）させて行われる、請求項１３に記載の方法。
【請求項１９】
前記負荷は、
前記エプスタイン−バールウイルス（ＥＢＶ）陽性癌特異的ネオエピトープ及び樹状細胞特異的抗体又はその断片を含む、融合タンパク質
を用いて行われる、請求項１３に記載の方法。
【請求項２０】
請求項１０〜１２のいずれか一項に記載の抗原提示細胞によって活性化されたＴ細胞。
【請求項２１】
請求項１０〜１２のいずれか一項に記載の抗原提示細胞によってＴ細胞を活性化する方法。
【請求項２２】
前記Ｔ細胞を前記抗原提示細胞と共培養して行われる、請求項２１に記載の方法。
【請求項２３】
前記Ｔ細胞は、目的の個体の末梢血単核細胞（ＰＢＭＣ）から得られたものである、請求項２１に記載の方法。
【請求項２４】
前記Ｔ細胞は、細胞傷害性Ｔ細胞、ヘルパーＴ細胞、ナチュラルキラーＴ細胞、γδＴ細胞、制御性Ｔ細胞、及びメモリーＴ細胞からなる群より選択される１種以上を含む、請求項２１に記載の方法。
【請求項２５】
前記共培養が、インターロイキン−２（ＩＬ−２）、インターロイキン−４（ＩＬ−４）、インターロイキン−７（ＩＬ−７）、インターロイキン−１５（ＩＬ−１５）、インターロイキン−２１（ＩＬ−２１）、又はこれらの組み合わせを添加して行われる、請求項２２に記載の方法。
【請求項２６】
前記共培養が、サイトカイン及び兔疫グロブリン重鎖不変部を含む融合タンパク質を添加して行われる、請求項２２に記載の方法。
【請求項２７】
前記サイトカインは、インターフェロン−γ（ＩＦＮ−γ）、インターロイキン−２（ＩＬ−２）、インターロイキン−４（ＩＬ−４）、インターロイキン−１２（ＩＬ−１２）、ＩＬ−１８、腫瘍壊死因子（ＴＮＦ）、又は顆粒球マクロファージコロニー刺激因子（ＧＭＣＳＦ）である、請求項２６に記載の方法。
【請求項２８】
前記共培養が、
ＣＤ２７、ＣＸＣＲ３、又はＣＤ６２Ｌのリガンド、及び兔疫グロブリン重鎖不変部を含む、融合タンパク質
を添加して行われる、請求項２２に記載の方法。
【請求項２９】
請求項１０〜１２のいずれか１項に記載の抗原提示細胞を有効成分として含む、エプスタイン−バールウイルス（ＥＢＶ）陽性癌の予防又は治療用薬学組成物。
【請求項３０】
請求項２０に記載の活性化されたＴ細胞を有効成分として含む、エプスタイン−バールウイルス（ＥＢＶ）陽性癌の予防又は治療用薬学組成物。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
ａ）Ｔ細胞集団を提供し、ここで、この集団中の複数のＴ細胞は少なくとも１つのキメラリガンド受容体（ＣＬＲ）および少なくとも１つの誘発性導入遺伝子構築物を含み、
ここで、ＣＬＲは、（ｉ）シグナルペプチドと少なくとも１つの足場タンパク質を含むリガンド認識領域を含む外部ドメイン；（ｉｉ）膜貫通ドメイン；および（ｉｉｉ）少なくとも１つの共刺激ドメインを含む内部ドメインを含む、膜貫通型タンパク質であり、
ここで、少なくとも１つの誘発性導入遺伝子構築物は、誘発性プロモーターをコードする配列および導入遺伝子をコードする配列を含み；そして
ｂ）Ｔ細胞集団を、少なくとも１つのＣＬＲのリガンド認識領域に結合するリガンドと接触させ、
ここで、リガンドがリガンド認識領域に結合すると、少なくとも１つのＣＬＲの内部ドドメインが、誘発性プロモーターを標的とする細胞内シグナルを伝達し、複数のＴ細胞内で導入遺伝子の発現をもたらす、
ことを含む、導入遺伝子を発現させる方法。
【請求項２】
（ｉ）の外部ドメインが、リガンド認識領域と膜貫通ドメインの間にヒンジをさらに含む、請求項１に記載の方法。
【請求項３】
少なくとも１つのタンパク質足場が、抗体、抗体断片、単一ドメイン抗体、単鎖抗体、抗体模倣物、単鎖可変断片（ｓｃＦｖ）、ＶＨ、ＶＨＨまたはセンチリンを含む、請求項１または２に記載の方法。
【請求項４】
前記ＣＬＲが、ＢＣＭＡ、ＭＵＣ−１またはＰＳＭＡに特異的に結合する、請求項１〜３のいずれか１項に記載の方法。
【請求項５】
前記導入遺伝子が、前記Ｔ細胞のゲノム配列に関して内因性である配列を含む、請求項１〜４のいずれか１項に記載の方法。
【請求項６】
前記導入遺伝子が、前記Ｔ細胞のゲノム配列に関して外因性である配列を含み、場合により、外因性配列が、前記細胞のゲノムに関して、合成配列、修飾配列、組み換え配列、キメラ配列、または非天然起源の配列である、請求項１〜４のいずれか１項に記載の方法。
【請求項７】
前記導入遺伝子が分泌タンパク質をコードし、場合により、分泌タンパク質が第ＩＸ因子である、請求項１〜６のいずれか１項に記載の方法。
【請求項８】
前記導入遺伝子が抗癌剤である、請求項１〜６のいずれか１項に記載の方法。
【請求項９】
ａ）構成的プロモーターおよび少なくとも１つのキメラリガンド受容体（ＣＬＲ）をコードする配列を含む受容体配列；および
ｂ）誘発性プロモーターおよび導入遺伝子をコードする配列を含む誘発性導入遺伝子配列
を含む核酸配列。
【請求項１０】
前記構成的プロモーターが、ＣＭＶプロモーター、Ｕ６プロモーター、ＳＶ４０プロモーター、ＰＧＫ１プロモーター、Ｕｂｃプロモーター、ヒトβアクチンプロモーター、ＣＡＧプロモーター、またはＥＦ１αプロモーターである、請求項９に記載の核酸。
【請求項１１】
前記誘発性プロモーターが、ＮＦκＢプロモーター、ＮＲ４Ａ１プロモーター、ＣＤ５プロモーター、インターフェロン（ＩＦＮ）プロモーターまたはインターロイキン−２プロモーターであり、場合により、ＩＦＮプロモーターがＩＦＮγプロモーターである、請求項９または１０に記載の核酸。
【請求項１２】
請求項９〜１１のいずれか１項に記載の核酸を含むベクター。
【請求項１３】
前記誘発性導入遺伝子配列および前記受容体配列が同じ方向または反対方向に配向されている、請求項１２に記載のベクター。
【請求項１４】
疾患または障害の治療を必要とする被験体の疾患または障害を治療する方法における使用のためのＴ細胞集団であって、この方法が、以下を被験体に投与することを含む、Ｔ細胞集団：
ａ）Ｔ細胞集団であって、ここで、この集団中の複数のＴ細胞は少なくとも１つのキメラリガンド受容体（ＣＬＲ）および少なくとも１つの誘発性導入遺伝子構築物を含み、
ここで、ＣＬＲは、（ｉ）シグナルペプチドと少なくとも１つの足場タンパク質を含むリガンド認識領域を含む外部ドメイン；（ｉｉ）膜貫通ドメイン；および（ｉｉｉ）少なくとも１つの共刺激ドメインを含む内部ドメインを含む、膜貫通型タンパク質であり、
ここで、少なくとも１つの誘発性導入遺伝子構築物は、誘発性プロモーターをコードする配列および導入遺伝子をコードする配列を含む、Ｔ細胞集団；および
ｂ）少なくとも１つのＣＬＲのリガンド認識領域に結合するリガンドであって、
ここで、リガンドがリガンド認識領域に結合すると、少なくとも１つのＣＬＲの内部ドドメインが、誘発性プロモーターを標的とする細胞内シグナルを伝達し、複数のＴ細胞内で導入遺伝子の発現をもたらし、それによって被験体の疾患または障害を治療する、リガンド。
【請求項１５】
前記疾患または障害が癌または血友病Ｂである、請求項１４に記載の使用のためのＴ細胞集団。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
糖源及びイノシトールからなる組成物。
【請求項２】
前記糖源がスクロースである、請求項１に記載の組成物。
【請求項３】
前記糖源が、グルコース、スクロース、スクラロース、タガトース、ガラクトース、高フルクトースコーンシロップ、フルクトース、イソグルコース、及びラムノースからなる群から選択される１以上の糖である、請求項１に記載の組成物。
【請求項４】
前記糖源が約70％存在し、前記イノシトールが約30％存在する、請求項３に記載の組成物。
【請求項５】
前記糖源が約50％存在する、請求項３に記載の組成物。
【請求項６】
実質的に糖源とイノシトールからなる組成物。
【請求項７】
前記糖源がスクロースである、請求項６に記載の組成物。
【請求項８】
前記糖源が、グルコース、スクロース、スクラロース、タガトース、ガラクトース、高フルクトースコーンシロップ、フルクトース、イソグルコース、及びラムノースからなる群から選択される１以上の糖である、請求項６に記載の組成物。
【請求項９】
前記糖源が約70％存在し、前記イノシトールが約30％存在する、請求項６に記載の組成物。
【請求項１０】
前記糖源が約50％存在する、請求項６に記載の組成物。
【請求項１１】
糖源を少なくともその融点まで加熱して溶融糖を形成すること；
イノシトールを前記溶融糖に加え、糖/イノシトール組成物を形成することを含む、組成物を製造する方法。
【請求項１２】
前記糖／イノシトール組成物を粉砕し、粉末又は顆粒組成物を形成することをさらに含む、請求項１１に記載の方法。
【請求項１３】
前記イノシトールを前記溶融糖に加える前に、前記イノシトールを少なくともその融点まで溶融することをさらに含む、請求項１１に記載の方法。
【請求項１４】
糖尿病の治療又は糖尿病の発生を制限するための、糖源及びイノシトールを含む組成物。
【請求項１５】
前記組成物が、脂質も、タンパク質も別の抗糖尿病治療薬も含まない、請求項１４に記載の組成物。
【請求項１６】
炎症性疾患状態の治療又は炎症性疾患状態の発生を制限するための、糖源及びイノシトールを含む組成物。
【請求項１７】
前記疾患状態が、PCOS(多嚢胞性卵巣症候群)、新生児呼吸切迫症候群、神経管先天性欠損、肥満、糖尿病、癌、メタボリックシンドローム及び神経疾患並びにTNF-α及び関連する炎症誘発性サイトカインのシグナル伝達に関係する状態からなる群から選択される、請求項１６に記載の組成物。
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
衝突モードおよび反応モードを含む少なくとも２つのモード間でセルを切り替えて、前記セルによって受け取られるイオンを選択できるように構成されたシステムであって、前記システムが、
前記衝突モードで二成分ガス混合物を含むガス混合物を受け取り、前記セルを加圧するように構成され、前記反応モードで前記二成分ガス混合物を含む同じガス混合物を受け取り、前記セルを加圧するように構成されたセルと、
前記セルに電気的に結合されたプロセッサであって、前記衝突モードで前記ガス混合物を含む前記加圧セルに電圧を提供し、提供された第１の電圧によって誘導されたエネルギー障壁よりも大きいエネルギーを有する選択イオンの伝達を促進するように構成された、プロセッサと、を備え、前記プロセッサが、前記反応モードで前記ガス混合物を含む前記加圧セルに第２の電圧を提供し、選択イオンを前記セルに流体的に結合された質量フィルタに導くようにさらに構成される、システム。
【請求項２】
前記プロセッサが、前記セルの通気モードへの切り替えを可能にするようにさらに構成される、請求項１に記載のシステム。
【請求項３】
前記システムが、前記二成分ガス混合物を含む前記ガス混合物を提供するために前記セルに流体的に結合された単一のガス入口をさらに備える、請求項１に記載のシステム。
【請求項４】
前記セルが、２、４、６、８、または１０本のロッドを備える多極ロッドセットを備える、請求項３に記載のシステム。
【請求項５】
前記セルが、前記セルの出口開口部に近接して配置され、電源に電気的に結合された出口部材をさらに備え、前記出口部材が、前記加圧セル中の検体イオンを前記セルの前記出口開口部に向かって導くように構成される、請求項４に記載のシステム。
【請求項６】
前記出口部材が、前記加圧セルの前記衝突モードで−６０ボルト〜＋２０ボルトの電圧に設定することができる、請求項５に記載のシステム。
【請求項７】
前記出口部材が、前記加圧セルの前記反応モードで−６０ボルト〜＋２０ボルトの電圧に設定することができる、請求項５に記載のシステム。
【請求項８】
前記セルが、前記セルの入口開口部に近接して配置され、電源に電気的に結合された入口部材をさらに備え、前記入口部材が、前記セルの前記入口開口部に向かって前記加圧セルに検体イオンを導くように構成される、請求項５に記載のシステム。
【請求項９】
前記入口部材が、前記加圧セルの前記衝突モードで−６０ボルト〜＋２０ボルトの電圧に設定することができる、請求項８に記載のシステム。
【請求項１０】
前記入口部材が、前記加圧セルが前記反応モードにあるときに前記出口部材に提供される電圧と実質的に同様の電圧に設定することができる、請求項８に記載のシステム。
【請求項１１】
前記セルが、前記入口部材および出口部材の電圧を切り替えて、任意で、前記セルと前記質量分析器との間の前記エネルギー障壁を変えることにより、同じガス流量を維持しながら、または異なる流量レベルに変えながら、前記衝突モードから前記反応モードに切り替えるように構成される、請求項１に記載のシステム。
【請求項１２】
前記セルが、前記入口部材および前記出口部材の電圧を切り替えて、任意で、前記セルと前記質量分析器との間の前記エネルギー障壁を変えることにより、同じガス流量を維持しながら、または異なる流量レベルに変えながら、前記反応モードから前記衝突モードに切り替えるように構成される、請求項１に記載のシステム。
【請求項１３】
電源に電気的に結合され、前記加圧セルの出口開口部に向けてイオンを導くために軸方向電場を提供するように構成された軸方向電極をさらに備える、請求項１に記載のシステム。
【請求項１４】
前記軸方向電場が、−５００Ｖ／ｃｍ〜５００Ｖ／ｃｍの電場勾配を含む、請求項１３に記載のシステム。
【請求項１５】
前記プロセッサが、前記加圧セルにオフセット電圧を提供するようにさらに構成される、請求項１に記載のシステム。
【請求項１６】
前記オフセット電圧を含む前記セルに流体的に結合された質量分析器をさらに備える、請求項１５に記載のシステム。
【請求項１７】
前記流体的に結合された質量分析器のオフセット電圧が、前記セルが前記衝突モードにあるときの前記セルの前記オフセット電圧よりも正である、請求項１６に記載のシステム。
【請求項１８】
前記流体的に結合された質量分析器のオフセット電圧が、前記セルが前記反応モードにあるときの前記セルの前記オフセット電圧よりも負である、請求項１６に記載のシステム。
【請求項１９】
前記セルに流体的に結合されたイオン化源をさらに備える、請求項１６に記載のシステム。
【請求項２０】
前記セルが、前記衝突モードおよび前記反応モードでヘリウムガスと水素ガスとの二成分混合物を使用するように構成されている、請求項１に記載のシステム。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
複数の電子デバイス用の冷却モジュールであって、
容器を備え、第１の電子デバイスが冷却液に少なくとも部分的に浸漬されるように前記容器は、回路基板上で前記複数の電子デバイスと、前記冷却液とを収容し、前記冷却モジュールはさらに、
第２の電子デバイス上に搭載されるヒートシンクを備え、前記ヒートシンクは、
前記第２の電子デバイスの伝熱面の上部に搭載されかつ前記伝熱面から熱を移送するベースと、
前記ベースから延びる保持壁とを備え、前記ベースおよび前記保持壁は、前記冷却液の一部をためるための容積を画定し、よって、前記ベースを介して移送される熱は、前記容積内にたまった前記冷却液に移送され、
前記ヒートシンクにおける前記ベースおよび前記保持壁の配置は、前記ヒートシンクの前記容積内にためられる冷却液のレベルが前記容器内において前記第１の電子デバイスを少なくとも部分的に浸漬する冷却液のレベルよりも高く、且つ、充分な液体の流れによって、冷却液が前記保持壁から溢れて前記ヒートシンク外の冷却液と集まるように、なされている、冷却モジュール。
【請求項２】
前記ヒートシンクの前記容積を規定する前記ベースの表面は平面である、請求項１に記載の冷却モジュール。
【請求項３】
前記ヒートシンクの前記容積の内部において前記ベースおよび／または前記保持壁から延びる突起をさらに備える、請求項１または２に記載の冷却モジュール。
【請求項４】
前記突起は、前記ベースから前記ヒートシンクの前記保持壁と略同じ距離まで延びる、請求項３に記載の冷却モジュール。
【請求項５】
前記突起は、ピンおよび／またはフィンを備える、請求項３または請求項４に記載の冷却モジュール。
【請求項６】
前記突起は、前記ヒートシンクの前記ベースの平面に対して垂直方向に延びる、請求項３から５のいずれか１項に記載の冷却モジュール。
【請求項７】
前記突起は、前記冷却液を前記ヒートシンクの前記ベースの表面上の既定点から離れて半径方向に拡散させるように配置される、請求項３から６のいずれか１項に記載の冷却モジュール。
【請求項８】
前記突起は、非線形パターンで配置される、請求項３から７のいずれか１項に記載の冷却モジュール。
【請求項９】
前記冷却液を前記容器内で流すようにさらに構成され、かつ
流れる冷却液を受け入れて、これを前記ヒートシンクの前記容積に方向づけるように配置されるノズル装置
をさらに備える、請求項１〜８のいずれか１項に記載の冷却モジュール。
【請求項１０】
前記ノズル装置は、流れる前記冷却液を、前記電子デバイスの前記伝熱面の最も熱い部分に隣接する前記ヒートシンクの前記容積の一部に方向づけるように配置される、請求項９に記載の冷却モジュール。
【請求項１１】
前記ノズル装置は、１つまたは複数のノズルを備え、前記１つまたは複数のノズルは各々、流れる前記冷却液を前記ヒートシンクの前記容積の個々の部分に方向づけるように構成される、請求項９または請求項１０に記載の冷却モジュール。
【請求項１２】
前記ノズル装置は、複数のノズルを備え、各ノズルは、流れる前記冷却液を、しきい値レベルを超える温度を有する前記第２の電子デバイスの前記伝熱面の一部に隣接する前記ヒートシンクの前記容積の個々の一部に方向づけるように構成される、請求項１１に記載の冷却モジュール。
【請求項１３】
前記冷却液を前記容器内で流すように構成されるポンプと、
冷却液を前記ポンプから前記ノズル装置に輸送するように配置される少なくとも１つの管と、
をさらに備え、
前記１つまたは複数のノズルは各々、前記少なくとも１つの管の個々の一端に押込み嵌めにより結合するように構成される、請求項１１または請求項１２に記載の冷却モジュール。
【請求項１４】
前記ノズル装置は、流れる前記冷却液を前記ヒートシンクの前記ベースに対して垂直方向に方向づけるように配置される、請求項９から１３のいずれか１項に記載の冷却モジュール。
【請求項１５】
前記第１の電子デバイスは、前記回路基板上に搭載される低温コンポーネントを含み、
前記第２の電子デバイスは、前記回路基板上に搭載される高温コンポーネントであり、前記ヒートシンクは前記高温コンポーネント上に搭載される、請求項１〜１４のいずれか１項に記載の冷却モジュール。
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
Ｄ５０またはＤ６５の標準規格を満たす光源モジュールであって、
３００ｎｍ〜４００ｎｍの発光ピークを有する一つ以上の紫外線発光ダイオード（ＬＥＤ）素子、および
平均演色評価数が９０％以上の一つ以上の第１白色発光ダイオード（ＬＥＤ）素子を含み、
前記第１白色発光ダイオード（ＬＥＤ）素子は、
４４０ｎｍ〜４６０ｎｍの励起波長を有する第１ＬＥＤチップと前記第１ＬＥＤチップの励起波長によって励起されて発光する第１蛍光体層とを含む発光ダイオード（ＬＥＤ）素子であり、
前記第１蛍光体層は、
４４０〜４９９ｎｍの発光ピーク波長を有する第１蛍光体、
５００〜５８０ｎｍの発光ピーク波長を有する第２蛍光体、および
６００〜６９９ｎｍの発光ピーク波長を有する第３蛍光体を含むことを特徴とする光源モジュール。
【請求項２】
前記光源モジュールの紫外線含量（ＵＶｃｏｎｔｅｎｔ）の数値は６０〜１６０（Ａ．Ｕ．（ａｒｂｉｔｒａｒｙ  ｕｎｉｔ））の範囲内にあることを特徴とする、請求項１に記載の光源モジュール。
【請求項３】
前記第１白色発光ダイオード（ＬＥＤ）素子として、
互いに異なるピーク波長を有する２種類以上の発光ダイオード（ＬＥＤ）素子を用いることを特徴とする、請求項１に記載の光源モジュール。
【請求項４】
前記紫外線発光ダイオード（ＬＥＤ）素子として、
互いに異なるピーク波長を有する２種類以上の発光ダイオード（ＬＥＤ）素子を用いることを特徴とする、請求項１に記載の光源モジュール。
【請求項５】
前記紫外線発光ダイオード（ＬＥＤ）素子および前記第１白色発光ダイオード（ＬＥＤ）素子により、可視条件等色指数（ＭＩｖｉｓ）が１．０以下、蛍光条件等色指数（ＭＩｕｖ）が１．５以下の発光特性を有することを特徴とする、請求項１に記載の光源モジュール。
【請求項６】
平均演色評価数（Ｒａ）は９０％以上、特殊演色評価数Ｒ９〜Ｒ１５は８０％以上の発光特性を有することを特徴とする、請求項５に記載の光源モジュール。
【請求項７】
相関色温度（ＣＣＴ）は２０００Ｋ〜１００００Ｋの範囲内にあることを特徴とする、請求項５に記載の光源モジュール。
【請求項８】
平均演色評価数が９０％以上の一つ以上の第２白色発光ダイオード（ＬＥＤ）素子をさらに含み、
前記第２白色発光ダイオード（ＬＥＤ）素子は、
４００ｎｍ〜４４０ｎｍの励起波長を有する第２ＬＥＤチップと前記第２ＬＥＤチップの励起波長によって励起されて発光する第２蛍光体層とを含む発光ダイオード（ＬＥＤ）素子であり、
前記第２蛍光体層は、
４４０〜４９９ｎｍの発光ピーク波長を有する第１蛍光体、
５００〜５８０ｎｍの発光ピーク波長を有する第２蛍光体、および
６００〜６９９ｎｍの発光ピーク波長を有する第３蛍光体を含むことを特徴とする、請求項１に記載の光源モジュール。
【請求項９】
前記第１白色発光ダイオード（ＬＥＤ）素子および前記第２白色発光ダイオード（ＬＥＤ）素子として、
各々互いに異なるピーク波長を有する２種類以上の発光ダイオード（ＬＥＤ）素子を用いることを特徴とする、請求項８に記載の光源モジュール。
【請求項１０】
４００ｎｍ〜４７０ｎｍの発光ピークを有する一つ以上の青色発光ダイオード（ＬＥＤ）素子をさらに含むことを特徴とする、請求項１に記載の光源モジュール。
【請求項１１】
前記紫外線発光ダイオード（ＬＥＤ）素子の３００ｎｍ〜４００ｎｍ波長のピーク波長スペクトル強度（ｉｎｔｅｎｓｉｔｙ）は、前記青色発光ダイオード（ＬＥＤ）素子の４００ｎｍ〜４７０ｎｍ波長のピーク波長スペクトル強度（ｉｎｔｅｎｓｉｔｙ）の６０〜９０％の範囲内にあることを特徴とする、請求項１０に記載の光源モジュール。
【請求項１２】
Ｄ５０またはＤ６５の標準規格を満たす光源モジュールであって、
３００ｎｍ〜４００ｎｍの発光ピークを有する一つ以上の紫外線発光ダイオード（ＬＥＤ）素子、および
平均演色評価数が９０％以上の一つ以上の第２白色発光ダイオード（ＬＥＤ）素子を含み、
前記第２白色発光ダイオード（ＬＥＤ）素子は、
４００ｎｍ〜４４０ｎｍの励起波長を有する第２ＬＥＤチップと前記第２ＬＥＤチップの励起波長によって励起されて発光する第２蛍光体層とを含む発光ダイオード（ＬＥＤ）素子であり、
前記第２蛍光体層は、
４４０〜４９９ｎｍの発光ピーク波長を有する第１蛍光体、
５００〜５８０ｎｍの発光ピーク波長を有する第２蛍光体、および
６００〜６９９ｎｍの発光ピーク波長を有する第３蛍光体を含むことを特徴とする光源モジュール。
【請求項１３】
前記光源モジュールの紫外線含量（ＵＶｃｏｎｔｅｎｔ）の数値は６０〜１６０（Ａ．Ｕ．（ａｒｂｉｔｒａｒｙ  ｕｎｉｔ））の範囲内にあることを特徴とする、請求項１２に記載の光源モジュール。
【請求項１４】
前記第２白色発光ダイオード（ＬＥＤ）素子として、
互いに異なるピーク波長を有する２種類以上の発光ダイオード（ＬＥＤ）素子を用いることを特徴とする、請求項１２に記載の光源モジュール。
【請求項１５】
前記紫外線発光ダイオード（ＬＥＤ）素子として、
互いに異なるピーク波長を有する２種類以上の発光ダイオード（ＬＥＤ）素子を用いることを特徴とする、請求項１２に記載の光源モジュール。
【請求項１６】
４００ｎｍ〜４７０ｎｍの発光ピークを有する一つ以上の青色発光ダイオード（ＬＥＤ）素子をさらに含むことを特徴とする、請求項１２に記載の光源モジュール。
【請求項１７】
前記紫外線発光ダイオード（ＬＥＤ）素子の３００ｎｍ〜４００ｎｍ波長のピーク波長スペクトル強度（ｉｎｔｅｎｓｉｔｙ）は、前記青色発光ダイオード（ＬＥＤ）素子の４００ｎｍ〜４７０ｎｍ波長のピーク波長スペクトル強度（ｉｎｔｅｎｓｉｔｙ）の６０〜９０％の範囲内にあることを特徴とする、請求項１６に記載の光源モジュール。
【請求項１８】
請求項１〜１７のいずれか１項に記載の光源モジュールを含んで構成されることを特徴とする照明装置。
【請求項１９】
前記紫外線発光ダイオード（ＬＥＤ）素子と前記第１白色発光ダイオード（ＬＥＤ）素子を内蔵する透光材をさらに含み、
前記透光材はＰＭＭＡ、ガラスまたは紫外線の透過が可能な材質から構成されることを特徴とする、請求項１８に記載の照明装置。
【手続補正２】
【補正対象書類名】明細書
【補正対象項目名】００５７
【補正方法】変更
【補正の内容】
【００５７】
また、前記光源モジュール１０から発光される光のうち紫外線の含量に該当する紫外線含量（ＵＶｃｏｎｔｅｎｔ）の数値が６０〜１６０（Ａ．Ｕ．（ａｒｂｉｔｒａｒｙ  ｕｎｉｔ））の範囲内にあるように調整することによって、前記光源モジュール１０の標準照明要求規格（例えば、可視条件等色指数（ＭＩｖｉｓ）、蛍光条件等色指数（ＭＩｕｖ）、平均演色評価数（Ｒａ）および特殊演色評価数（Ｒ９〜Ｒ１５）など）に対する特性が大幅に改善できる。これについては、実施例に対する実験結果と共により詳しく後述する。
【手続補正書】
【提出日】令和3年8月30日(2021.8.30)
【手続補正１】
【補正対象書類名】明細書
【補正対象項目名】００６３
【補正方法】変更
【補正の内容】
【００６３】
結論として、符号化又は復号化のための内部サブブロックの精緻化の改良方法が提供される。精緻化では、内部サブブロックが、既に精緻化されたサブブロック部分を使用して精緻化される。この精緻化は、例えば、既に精緻化されたサブブロック部分の運動情報から導出される運動情報であり得る。他の実施形態は、他の情報を使用する内部サブブロックの他の導出を提供する。加えて、実施形態は、外側サブブロック情報に基づき内部サブブロックを導出するために他の情報を使用する。
なお、上述の実施形態の一部又は全部は、以下の付記のように記載され得るが、以下には限定されない。
（付記１）
以前に符号化された隣接ブロックから映像データのブロックの情報を導出することと、
前記導出された情報及び以前に符号化された隣接サブブロックを使用することにより前記映像データのブロックの左縁又は上縁に沿ったサブブロックの前記情報を精緻化することと、
前記映像データのブロックの左縁又は上縁に沿ったサブブロックから前記精緻化された情報を使用することにより前記映像データのブロックの内部サブブロックの前記情報を精緻化することと、
前記精緻化されたサブブロックを使用して前記映像データのブロックを符号化することを含む方法。
（付記２）
以前に符号化された隣接ブロックから映像データのブロックの情報を導出することと、
前記導出された情報及び以前に符号化された隣接サブブロックを使用することにより前記映像データのブロックの左縁又は上縁に沿ったサブブロックの前記情報を精緻化することと、
前記映像データのブロックの左縁又は上縁に沿ったサブブロックから前記精緻化された情報を使用することにより前記映像データのブロックの内部サブブロックの前記情報を精緻化することと、
前記精緻化されたサブブロックを使用して前記映像データのブロックを復号化することを含む方法。
（付記３）
メモリ及びプロセッサを含む映像データのブロックを符号化するための装置であって、前記プロセッサは、
以前に符号化された隣接ブロックから映像データのブロックの情報を導出し、
前記導出された情報及び以前に符号化された隣接サブブロックを使用することにより前記映像データのブロックの左縁又は上縁に沿ったサブブロックの前記情報を精緻化し、
前記映像データのブロックの左縁又は上縁に沿ったサブブロックから前記精緻化された情報を使用することにより前記映像データのブロックの内部サブブロックの前記情報を精緻化し、
前記精緻化されたサブブロックを使用して前記映像データのブロックを符号化する、
ように構成される、装置。
（付記４）
メモリ及びプロセッサを含む映像データのブロックを復号化するための装置であって、前記プロセッサは、
以前に符号化された隣接ブロックから映像データのブロックの情報を導出し、
前記導出された情報及び以前に符号化された隣接サブブロックを使用することにより前記映像データのブロックの左縁又は上縁に沿ったサブブロックの前記情報を精緻化し、
前記映像データのブロックの左縁又は上縁に沿ったサブブロックから前記精緻化された情報を使用することにより前記映像データのブロックの内部サブブロックの前記情報を精緻化し、
前記精緻化されたサブブロックを使用して前記映像データのブロックを復号化するように構成される、装置。
（付記５）
前記情報を導出することはテンプレートマッチング予測を使用する、付記１又は２のいずれかに記載の方法又は付記３又は４のいずれかに記載の装置。
（付記６）
前記テンプレートマッチング予測は、時間的に行われる、付記５に記載の方法又は装置。
（付記７）
前記テンプレートマッチング予測は、空間的に行われる、付記５に記載の方法又は装置。
（付記８）
空間的隣接サブブロックの数Ｎが現在のサブブロックの情報を精緻化するために使用される、付記１又は２のいずれかに記載の方法、又は付記３又は４のいずれかに記載の装置。
（付記９）
サブブロックの運動ベクトルが隣接する空間的又は時間的サブブロックのある組み合わせを使用して導出される、付記１又は２のいずれかに記載の方法、又は付記３又は４のいずれかに記載の装置。
（付記１０）
サブブロックの運動ベクトルが、ブロックの運動ベクトルだけでなく隣接サブブロックからの少なくとも１つの精緻化された隣接運動ベクトルも使用する運動モデルを使用して導出される、付記１又は２のいずれかに記載の方法、又は付記３又は４のいずれかに記載の装置。
（付記１１）
異なる運動導出方法が現在ブロックの異なるサブブロックに使用される、付記１又は２のいずれかに記載の方法、又は付記３又は４のいずれかに記載の装置。
（付記１２）
符号化ユニットの第２及び第３の行及び第２及び第３の列は、４つまでの空間的隣接運動ベクトル及び前記符号化ユニットの精緻化済み運動ベクトルの平均を使用して導出される、付記１又は２のいずれかに記載の方法、又は付記３又は４のいずれかに記載の装置。
（付記１３）
プロセッサを使用する再生のための付記１及び付記５乃至１２のいずれかに記載の方法に従って又は付記３と付記５乃至１２のいずれかに記載の装置により生成されるデータコンテンツを含む、非一時的コンピュータ可読媒体。
（付記１４）
プロセッサを使用する再生のための付記１及び付記５乃至１２のいずれかに記載の方法に従って又は付記３と付記５乃至１２のいずれかに記載の装置により生成される映像データを含む信号。
（付記１５）
コンピュータにより実行されると前記コンピュータに付記２と付記５乃至１２のいずれかに記載の方法を行わせる指示を含む、コンピュータプログラム製品。